(57)【要約】【課題】  テレビジョンの視聴の妨げとなることなく、かつタイムリーに新たに生じた情報を画面に表示することができる情報表示システム、情報取得装置、情報表示装置、情報表示方法、プログラムおよび記録媒体を提供する。【解決手段】  ＣＰＵ１１は、予め定める事象の発生を検知したとき、その事象に係る詳細情報を取得し、情報表示要求を表示端末３０に送信する。コントローラ３１は、情報表示要求を受信すると、ダイアログをテレビジョン放送の映像情報に合成して表示部３４に表示する。コントローラ３１は、表示されたダイアログに応答して、ＴＶ用リモコン４０から決定情報を受信すると、情報表示許可を情報端末１０に送信する。ＣＰＵ１１は、情報表示許可を受信すると、取得した詳細情報を表示端末３０に送信する。コントローラ３１は、受信した詳細情報をテレビジョン放送の映像情報に合成して表示部３４に表示する。【選択図】      図１
2011142524.tif 000002
【特許請求の範囲】
【請求項１】
情報取得装置と情報表示装置とを含む情報表示システムであって、
情報取得装置は、
予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を情報表示装置に要求するための確認情報表示要求情報を情報表示装置に送信し、
詳細情報の表示を許可することを表す詳細情報表示許可情報を情報表示装置から受信すると、前記取得した詳細情報を情報表示装置に送信し、
情報表示装置は、
情報を表示する表示部および情報を入力する入力部を含み、
情報取得装置から確認情報表示要求情報を受信すると、受信した確認情報表示要求情報に基づいて、表示部に表示するための表示可否確認情報を生成し、生成した表示可否確認情報を、表示部に表示すべき表示情報に合成して表示部に表示し、
表示部に表示した表示可否確認情報に応答して、詳細情報の表示を許可することを表す許可応答情報が入力部によって入力されたとき、詳細情報表示許可情報を情報取得装置に送信し、
情報取得装置から詳細情報を受信すると、受信した詳細情報を予め定める表示態様で表示部に表示することを特徴とする情報表示システム。
【請求項２】
前記情報取得装置は、取得した詳細情報を表示してよいか否かについての可否を視聴者に確認するための第２の表示可否確認情報を生成し、前記確認情報表示要求情報を前記情報表示装置に送信するとき、生成した第２の表示可否確認情報を表示可否確認情報に代えて表示可能であるか否かを前記情報表示装置に確認するための代替可否確認情報を前記情報表示装置に送信し、
前記情報表示装置は、前記情報取得装置から代替可否確認情報を受信したとき、第２の表示可否確認情報を表示部に表示することができる状態であるか否かを判定し、第２の表示可否確認情報を表示部に表示することができる状態である場合、第２の表示可否確認情報の表示を許可することを表す確認情報表示許可情報を前記情報取得装置に送信し、
前記情報取得装置は、前記情報表示装置から確認情報表示許可情報を受信すると、前記生成した第２の表示可否確認情報を前記情報取得装置に送信し、
前記情報表示装置は、前記情報取得装置から第２の表示可否確認情報を受信すると、受信した第２の表示可否確認情報を、表示部に表示すべき表示情報に合成して表示部に表示し、表示部に表示された第２の表示可否確認情報に応答して、詳細情報の表示を許可することを表す許可応答情報が入力部によって入力されたとき、詳細情報表示許可情報を情報取得装置に送信することを特徴とする請求項１に記載の情報表示システム。
【請求項３】
前記情報表示装置は、表示可否確認情報を、画面の中央部に表示される表示パターン、予め定める文字数以下の文字からなり、画面の角のうちのいずれかの角に表示される表示パターン、および予め定めるアイコンが画面の角のうちのいずれかの角に表示される表示パターンのうちのいずれか１つの表示パターンで表示することを特徴とする請求項１または２に記載の情報表示システム。
【請求項４】
前記予め定める表示態様は、表示情報を親画面に表示し、詳細情報を子画面に表示する第１の表示態様、詳細情報を親画面に表示し、表示情報を子画面に表示する第２の表示態様、２分割した画面の一方に表示情報を表示し、他方に詳細情報を表示する第３の表示態様、および詳細情報のみを画面に表示する第４の表示態様のうちのいずれか１つの表示態様であることを特徴とする請求項１〜３のいずれか１つに記載の情報表示システム。
【請求項５】
前記予め定める事象および該予め定める事象に係る詳細情報は、新着の商品情報の発生およびその商品情報、電子メールの受信および受信した電子メールの内容、コンテンツのコピーの完了およびコピーされたコンテンツのリスト、ならびに視聴予約していた番組の開始時刻到達および視聴予約していた番組の再生映像のうちの少なくともいずれか１つであることを特徴とする請求項１〜４のいずれか１つに記載の情報表示システム。
【請求項６】
情報取得装置と情報表示装置とを含む情報表示システムに含まれる情報取得装置であって、
予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を情報表示装置に要求するための確認情報表示要求情報を情報表示装置に送信し、
詳細情報の表示を許可することを表す詳細情報表示許可情報を情報表示装置から受信すると、前記取得した詳細情報を情報表示装置に送信することを特徴とする情報取得装置。
【請求項７】
情報取得装置と情報表示装置とを含む情報表示システムに含まれる情報表示装置であって、
情報を表示する表示部および情報を入力する入力部を含み、
情報取得装置から、予め定める事象の発生が検知されたときに取得された詳細情報を表示してよいか否かについての可否を視聴者に確認するための表示可否確認情報の表示を情報表示装置に要求するための確認情報表示要求情報を受信したとき、受信した確認情報表示要求情報に基づいて、表示部に表示するための表示可否確認情報を生成し、生成した表示可否確認情報を、表示部に表示すべき表示情報に合成して表示部に表示し、
表示部に表示された表示可否確認情報に応答して、詳細情報の表示を許可することを表す許可応答情報が入力部によって入力されたとき、詳細情報の表示を許可することを表す詳細情報表示許可情報を情報取得装置に送信し、
情報取得装置から詳細情報を受信すると、受信した詳細情報を予め定める表示態様で表示部に表示することを特徴とする情報表示装置。
【請求項８】
情報取得装置と、情報を表示する表示部および情報を入力する入力部を含む情報表示装置とを含む情報表示システムで情報を表示する情報表示方法であって、
情報取得装置が、予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を情報表示装置に要求するための確認情報表示要求情報を情報表示装置に送信する第１の送信ステップと、
情報表示装置が、情報取得装置から確認情報表示要求情報を受信したとき、表示部に表示するための表示可否確認情報を生成し、生成した表示可否確認情報を、表示部に表示すべき表示情報に合成して表示部に表示する第１の表示ステップと、
情報表示装置が、表示部に表示した表示可否確認情報に応答して、詳細情報の表示を許可することを表す許可応答情報が入力部によって入力されたとき、詳細情報の表示を許可することを表す詳細情報表示許可情報を情報取得装置に送信する第２の送信ステップと、
情報取得装置が、情報表示装置から詳細情報表示許可情報を受信したとき、前記取得した詳細情報を情報表示装置に送信する第３の送信ステップと、
情報表示装置が、情報取得装置から詳細情報を受信すると、受信した詳細情報を予め定める表示態様で表示部に表示する第２の表示ステップとを含むことを特徴とする情報表示方法。
【請求項９】
情報を表示する表示部および情報を入力する入力部を含むコンピュータに、
予め定める事象の発生を監視し、予め定める事象の発生が検知されたとき、発生を検知した事象に係る詳細情報を取得する取得ステップと、
取得ステップで取得した詳細情報を表示してよいか否かについての可否を視聴者に確認するために表示部に表示するための表示可否確認情報を生成し、生成した表示可否確認情報を、表示部に表示すべき表示情報に合成して表示部に表示する第１の表示ステップと、
表示部に表示した表示可否確認情報に応答して、詳細情報の表示を許可することを表す許可応答情報が入力部によって入力されたとき、前記取得した詳細情報を予め定める表示態様で表示部に表示する第２の表示ステップとを実行させるためのプログラム。
【請求項１０】
請求項９に記載のプログラムを記録したコンピュータ読取り可能な記録媒体。
【発明の詳細な説明】
【技術分野】
【０００１】
本発明は、情報を表示する情報表示システム、情報取得装置、情報表示装置、情報表示方法、プログラムおよび記録媒体に関する。
【背景技術】
【０００２】
第１の従来の技術として、特許文献１に記載されるテレビジョン情報表示システムがある。このテレビジョン情報表示システムは、テレビジョン受像機とコンピュータとをＵＳＢ（Universal Serial Bus）ラインなどの双方向の信号線で接続して構成される。テレビジョン受像機は、チューナによって受信したテレビジョン放送の映像などを表示パネルに表示し、親画面の中に子画面を重ねて別の内容を表示するピクチャーインピクチャー（
Picture in Picture：以下「ＰｉｎＰ」という）機能を有する。コンピュータは、インターネットなどの情報通信ネットワークに接続され、電子番組案内（Electronic Program
Guide：以下「ＥＰＧ」という）情報あるいは新着情報などの情報を取得する。テレビジョン受像機は、コンピュータからのＥＰＧ情報あるいは新着情報を、ＰｉｎＰ機能によって、コンピュータから指示されるＰｉｎＰ領域ならびに透明色および透明度で、テレビジョン放送の映像などに合成して表示パネルに表示する。
【０００３】
第２の従来の技術として、特許文献２に記載される視聴システムがある。この視聴システムは、再生装置が、リモートコントローラ（以下「リモコン」という）操作に応じて、ＥＰＧ画面などの描画画像をオンスクリーン表示するとき、テレビジョン受信機の表示形式に従った描画画像を生成する。そして、生成された描画画像がオンスクリーン表示された画像をテレビジョン受信機に送って表示するので、テレビジョン受信機と再生装置との描画画像の位置、形状およびサイズなどを揃えることができる。
【０００４】
第３の従来の技術として、特許文献３に記載される映像表示システムがある。この映像表示システムは、玄関に設けられたカメラなどの映像撮影装置で撮影される撮影映像の表示が要求されたときに、テレビジョン受像機の映像表示部にテレビジョン放送などの映像が表示されている状態であれば、そのテレビジョン放送などの映像と前記撮影映像とを合成して映像表示部に表示する。
【先行技術文献】
【特許文献】
【０００５】
【特許文献１】特開２００６−３３３１０１号公報
【特許文献２】特開２００８−２８８８２３号公報
【特許文献３】特開２００８−８５７２９号公報
【発明の概要】
【発明が解決しようとする課題】
【０００６】
第１の従来の技術は、コンピュータが、視聴中の番組に関連する情報をインターネットから取得し、取得した関連情報をテレビジョン受像機に表示する。関連情報は視聴中の番組に関連する情報であるので、関連情報が表示されることは、視聴者が予期している情報であり、テレビジョン放送の視聴の妨げになることはほとんどない。第２の従来の技術は、テレビジョン受像機および再生装置のいずれも、視聴者によるリモコン操作に応じて、描画画像をオンスクリーン表示するので、テレビジョン放送の視聴の妨げになることはない。
【０００７】
しかしながら、第３の従来の技術は、インターホンの呼び出しがなされた時に、玄関に設けられたカメラなどの映像撮影装置で撮影された撮影映像が、突然視聴中の画面に表示されるので、視聴の妨げとなるという問題がある。
【０００８】
同様に、セットトップボックス（以下「ＳＴＢ」という）のイベント受信プログラムが、電子メールの受信などのイベントの発生を契機に、イベント通知用の画面を生成し、生成した画面をテレビジョン受像機のＰｉｎＰ機能によって、テレビジョン受像機の画面に表示するときも、視聴者が意図しないときに画面が切り替わり、テレビジョン放送の視聴の妨げになるという問題がある。
【０００９】
また、視聴者によるリモコン操作を起点として、テレビジョン受像機をＰｉｎＰ状態に切り換える場合は、ＳＴＢがイベントを受信しても、視聴者がリモコン操作でＰｉｎＰ状態に切り換えないと、ＳＴＢが出力する情報がテレビジョン受像機に表示されないので、イベントの受信をタイムリーに視聴者に通知することができないという問題がある。
【００１０】
本発明の目的は、テレビジョンの視聴の妨げとなることなく、かつタイムリーに新たに生じた情報を画面に表示することができる情報表示システム、情報取得装置、情報表示装置、情報表示方法、プログラムおよび記録媒体を提供することである。
【課題を解決するための手段】
【００１１】
本発明は、情報取得装置と情報表示装置とを含む情報表示システムであって、
情報取得装置は、
予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を情報表示装置に要求するための確認情報表示要求情報を情報表示装置に送信し、
詳細情報の表示を許可することを表す詳細情報表示許可情報を情報表示装置から受信すると、前記取得した詳細情報を情報表示装置に送信し、
情報表示装置は、
情報を表示する表示部および情報を入力する入力部を含み、
情報取得装置から確認情報表示要求情報を受信すると、受信した確認情報表示要求情報に基づいて、表示部に表示するための表示可否確認情報を生成し、生成した表示可否確認情報を、表示部に表示すべき表示情報に合成して表示部に表示し、
表示部に表示した表示可否確認情報に応答して、詳細情報の表示を許可することを表す許可応答情報が入力部によって入力されたとき、詳細情報表示許可情報を情報取得装置に送信し、
情報取得装置から詳細情報を受信すると、受信した詳細情報を予め定める表示態様で表示部に表示することを特徴とする情報表示システムである。
【００１２】
また本発明は、前記情報取得装置は、取得した詳細情報を表示してよいか否かについての可否を視聴者に確認するための第２の表示可否確認情報を生成し、前記確認情報表示要求情報を前記情報表示装置に送信するとき、生成した第２の表示可否確認情報を表示可否確認情報に代えて表示可能であるか否かを前記情報表示装置に確認するための代替可否確認情報を前記情報表示装置に送信し、
前記情報表示装置は、前記情報取得装置から代替可否確認情報を受信したとき、第２の表示可否確認情報を表示部に表示することができる状態であるか否かを判定し、第２の表示可否確認情報を表示部に表示することができる状態である場合、第２の表示可否確認情報の表示を許可することを表す確認情報表示許可情報を前記情報取得装置に送信し、
前記情報取得装置は、前記情報表示装置から確認情報表示許可情報を受信すると、前記生成した第２の表示可否確認情報を前記情報取得装置に送信し、
前記情報表示装置は、前記情報取得装置から第２の表示可否確認情報を受信すると、受信した第２の表示可否確認情報を、表示部に表示すべき表示情報に合成して表示部に表示し、表示部に表示された第２の表示可否確認情報に応答して、詳細情報の表示を許可することを表す許可応答情報が入力部によって入力されたとき、詳細情報表示許可情報を情報取得装置に送信することを特徴とする。
【００１３】
また本発明は、前記情報表示装置は、表示可否確認情報を、画面の中央部に表示される表示パターン、予め定める文字数以下の文字からなり、画面の角のうちのいずれかの角に表示される表示パターン、および予め定めるアイコンが画面の角のうちのいずれかの角に表示される表示パターンのうちのいずれか１つの表示パターンで表示することを特徴とする。
【００１４】
また本発明は、前記予め定める表示態様は、表示情報を親画面に表示し、詳細情報を子画面に表示する第１の表示態様、詳細情報を親画面に表示し、表示情報を子画面に表示する第２の表示態様、２分割した画面の一方に表示情報を表示し、他方に詳細情報を表示する第３の表示態様、および詳細情報のみを画面に表示する第４の表示態様のうちのいずれか１つの表示態様であることを特徴とする。
【００１５】
また本発明は、前記予め定める事象および該予め定める事象に係る詳細情報は、新着の商品情報の発生およびその商品情報、電子メールの受信および受信した電子メールの内容、コンテンツのコピーの完了およびコピーされたコンテンツのリスト、ならびに視聴予約していた番組の開始時刻到達および視聴予約していた番組の再生映像のうちの少なくともいずれか１つであることを特徴とする。
【００１６】
また本発明は、情報取得装置と情報表示装置とを含む情報表示システムに含まれる情報取得装置であって、
予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を情報表示装置に要求するための確認情報表示要求情報を情報表示装置に送信し、
詳細情報の表示を許可することを表す詳細情報表示許可情報を情報表示装置から受信すると、前記取得した詳細情報を情報表示装置に送信することを特徴とする情報取得装置である。
【００１７】
また本発明は、情報取得装置と情報表示装置とを含む情報表示システムに含まれる情報表示装置であって、
情報を表示する表示部および情報を入力する入力部を含み、
情報取得装置から、予め定める事象の発生が検知されたときに取得された詳細情報を表示してよいか否かについての可否を視聴者に確認するための表示可否確認情報の表示を情報表示装置に要求するための確認情報表示要求情報を受信したとき、受信した確認情報表示要求情報に基づいて、表示部に表示するための表示可否確認情報を生成し、生成した表示可否確認情報を、表示部に表示すべき表示情報に合成して表示部に表示し、
表示部に表示された表示可否確認情報に応答して、詳細情報の表示を許可することを表す許可応答情報が入力部によって入力されたとき、詳細情報の表示を許可することを表す詳細情報表示許可情報を情報取得装置に送信し、
情報取得装置から詳細情報を受信すると、受信した詳細情報を予め定める表示態様で表示部に表示することを特徴とする情報表示装置である。
【００１８】
また本発明は、情報取得装置と、情報を表示する表示部および情報を入力する入力部を含む情報表示装置とを含む情報表示システムで情報を表示する情報表示方法であって、
情報取得装置が、予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を情報表示装置に要求するための確認情報表示要求情報を情報表示装置に送信する第１の送信ステップと、
情報表示装置が、情報取得装置から確認情報表示要求情報を受信したとき、表示部に表示するための表示可否確認情報を生成し、生成した表示可否確認情報を、表示部に表示すべき表示情報に合成して表示部に表示する第１の表示ステップと、
情報表示装置が、表示部に表示した表示可否確認情報に応答して、詳細情報の表示を許可することを表す許可応答情報が入力部によって入力されたとき、詳細情報の表示を許可することを表す詳細情報表示許可情報を情報取得装置に送信する第２の送信ステップと、
情報取得装置が、情報表示装置から詳細情報表示許可情報を受信したとき、前記取得した詳細情報を情報表示装置に送信する第３の送信ステップと、
情報表示装置が、情報取得装置から詳細情報を受信すると、受信した詳細情報を予め定める表示態様で表示部に表示する第２の表示ステップとを含むことを特徴とする情報表示方法である。
【００１９】
また本発明は、情報を表示する表示部および情報を入力する入力部を含むコンピュータに、
予め定める事象の発生を監視し、予め定める事象の発生が検知されたとき、発生を検知した事象に係る詳細情報を取得する取得ステップと、
取得ステップで取得した詳細情報を表示してよいか否かについての可否を視聴者に確認するために表示部に表示するための表示可否確認情報を生成し、生成した表示可否確認情報を、表示部に表示すべき表示情報に合成して表示部に表示する第１の表示ステップと、
表示部に表示した表示可否確認情報に応答して、詳細情報の表示を許可することを表す許可応答情報が入力部によって入力されたとき、前記取得した詳細情報を予め定める表示態様で表示部に表示する第２の表示ステップとを実行させるためのプログラムである。
また本発明は、前記プログラムを記録したコンピュータ読取り可能な記録媒体である。
【発明の効果】
【００２０】
本発明によれば、情報表示システムは、情報取得装置と情報表示装置とを含む。情報取得装置は、予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を情報表示装置に要求するための確認情報表示要求情報を情報表示装置に送信し、詳細情報の表示を許可することを表す詳細情報表示許可情報を情報表示装置から受信すると、前記取得した詳細情報を情報表示装置に送信する。情報を表示する表示部および情報を入力する入力部を含む情報表示装置は、情報取得装置から確認情報表示要求情報を受信すると、受信した確認情報表示要求情報に基づいて、表示部に表示するための表示可否確認情報を生成し、生成した表示可否確認情報を、表示部に表示すべき表示情報に合成して表示部に表示し、表示部に表示した表示可否確認情報に応答して、詳細情報の表示を許可することを表す許可応答情報が入力部によって入力されたとき、詳細情報表示許可情報を情報取得装置に送信し、情報取得装置から詳細情報を受信すると、受信した詳細情報を予め定める表示態様で表示部に表示する。
【００２１】
したがって、表示可否確認情報、たとえばダイアログまたはアイコンを表示して、視聴者に詳細情報の表示可否を確認してから画面の表示態様を切り替えて詳細情報を表示するので、視聴者が必要なときだけ詳細情報を表示させることができる。したがって、テレビジョンの視聴の妨げとなることなく、かつタイムリーに新たに生じた情報、つまり新たに生じた事象に係る詳細情報を画面に表示することができる。
【００２２】
また本発明によれば、前記情報取得装置は、取得した詳細情報を表示してよいか否かについての可否を視聴者に確認するための第２の表示可否確認情報を生成し、前記確認情報表示要求情報を前記情報表示装置に送信するとき、生成した第２の表示可否確認情報を表示可否確認情報に代えて表示可能であるか否かを前記情報表示装置に確認するための代替可否確認情報を前記情報表示装置に送信する。前記情報表示装置は、前記情報取得装置から代替可否確認情報を受信したとき、第２の表示可否確認情報を表示部に表示することができる状態であるか否かを判定し、第２の表示可否確認情報を表示部に表示することができる状態である場合、第２の表示可否確認情報の表示を許可することを表す確認情報表示許可情報を前記情報取得装置に送信する。前記情報取得装置は、前記情報表示装置から確認情報表示許可情報を受信すると、前記生成した第２の表示可否確認情報を前記情報取得装置に送信する。そして、前記情報表示装置は、前記情報取得装置から第２の表示可否確認情報を受信すると、受信した第２の表示可否確認情報を、表示部に表示すべき表示情報に合成して表示部に表示し、表示部に表示された第２の表示可否確認情報に応答して、詳細情報の表示を許可することを表す許可応答情報が入力部によって入力されたとき、詳細情報表示許可情報を情報取得装置に送信する。したがって、情報表示装置が表示可能なとき、情報取得装置が生成する第２の表示可否確認情報を、情報表示装置が生成する表示可否確認情報に代えて、情報表示装置に表示することができるので、より詳細情報に適したダイアログなどの確認情報を表示することができる。
【００２３】
また本発明によれば、前記情報表示装置は、表示可否確認情報を、画面の中央部に表示する表示パターン、予め定める文字数以下の文字からなり、画面の角のうちのいずれかの角に表示する表示パターン、および予め定めるアイコンが画面の角のうちのいずれかの角に表示する表示パターンのうちのいずれか１つの表示パターンで表示する。したがって、表示可否確認情報を視聴者の妨げにならない最適な表示パターンとすることができる。
【００２４】
また本発明によれば、前記予め定める表示態様は、表示情報を親画面に表示し、詳細情報を子画面に表示する第１の表示態様、詳細情報を親画面に表示し、表示情報を子画面に表示する第２の表示態様、２分割した画面の一方に表示情報を表示し、他方に詳細情報を表示する第３の表示態様、および詳細情報のみを画面に表示する第４の表示態様のうちのいずれか１つの表示態様である。したがって、表示可否確認情報を視聴者の好みに応じた表示態様で表示することができる。
【００２５】
また本発明によれば、前記予め定める事象および該予め定める事象に係る詳細情報は、新着の商品情報の発生およびその商品情報、電子メールの受信および受信した電子メールの内容、コンテンツのコピーの完了およびコピーされたコンテンツのリスト、ならびに視聴予約していた番組の開始時刻到達および視聴予約していた番組の再生映像のうちの少なくともいずれか１つである。したがって、種々の事象の発生を、視聴者の視聴の妨げとなることなく、かつタイムリーに通知することができる。
【００２６】
また本発明によれば、前記情報取得装置は、予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を情報表示装置に要求するための確認情報表示要求情報を情報表示装置に送信し、詳細情報の表示を許可することを表す詳細情報表示許可情報を情報表示装置から受信すると、前記取得した詳細情報を情報表示装置に送信する。したがって、予め定める事象の発生を検知したときに、視聴者に詳細情報の表示可否を確認するための表示可否確認情報を情報表示装置に表示させ、表示可を確認してから詳細情報を情報表示装置に表示させることができる。
【００２７】
また本発明によれば、前記情報表示装置は、情報を表示する表示部および情報を入力する入力部を含み、情報取得装置から、予め定める事象の発生が検知されたときに取得された詳細情報を表示してよいか否かについての可否を視聴者に確認するための表示可否確認情報の表示を情報表示装置に要求するための確認情報表示要求情報を受信したとき、受信した確認情報表示要求情報に基づいて、表示部に表示するための表示可否確認情報を生成し、生成した表示可否確認情報を、表示部に表示すべき表示情報に合成して表示部に表示し、表示部に表示された表示可否確認情報に応答して、詳細情報の表示を許可することを表す許可応答情報が入力部によって入力されたとき、詳細情報の表示を許可することを表す詳細情報表示許可情報を情報取得装置に送信し、情報取得装置から詳細情報を受信すると、受信した詳細情報を予め定める表示態様で表示部に表示する。
【００２８】
したがって、情報取得装置が予め定める事象の発生を検知したときに、視聴者に詳細情報の表示可否を確認するための表示可否確認情報を表示することができ、表示可を確認してから詳細情報を表示することができる。
【００２９】
また本発明によれば、情報取得装置と、情報を表示する表示部および情報を入力する入力部を含む情報表示装置とを含む情報表示システムで情報を表示するにあたって、第１の送信ステップでは、情報取得装置が、予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を情報表示装置に要求するための確認情報表示要求情報を情報表示装置に送信する。第１の表示ステップでは、情報表示装置が、情報取得装置から確認情報表示要求情報を受信したとき、表示部に表示するための表示可否確認情報を生成し、生成した表示可否確認情報を、表示部に表示すべき表示情報に合成して表示部に表示する。第２の送信ステップでは、情報表示装置が、表示部に表示した表示可否確認情報に応答して、詳細情報の表示を許可することを表す許可応答情報が入力部によって入力されたとき、詳細情報の表示を許可することを表す詳細情報表示許可情報を情報取得装置に送信する第３の送信ステップでは、情報取得装置が、情報表示装置から詳細情報表示許可情報を受信したとき、前記取得した詳細情報を情報表示装置に送信する。そして、第２の表示ステップでは、情報表示装置が、情報取得装置から詳細情報を受信すると、受信した詳細情報を予め定める表示態様で表示部に表示する。
【００３０】
したがって、表示可否確認情報、たとえばダイアログまたはアイコンを表示して、視聴者に詳細情報の表示可否を確認してから画面の表示態様を切り替えて詳細情報を表示するので、視聴者が必要なときだけ詳細情報を表示させることができる。したがって、テレビジョンの視聴の妨げとなることなく、かつタイムリーに新たに生じた情報、つまり新たに生じた事象に係る詳細情報を画面に表示することができる。
【００３１】
また本発明によれば、情報を表示する表示部および情報を入力する入力部を含むコンピュータに、予め定める事象の発生を監視し、予め定める事象の発生が検知されたとき、発生を検知した事象に係る詳細情報を取得する取得ステップと、取得ステップで取得した詳細情報を表示してよいか否かについての可否を視聴者に確認するために表示部に表示するための表示可否確認情報を生成し、生成した表示可否確認情報を、表示部に表示すべき表示情報に合成して表示部に表示する第１の表示ステップと、表示部に表示した表示可否確認情報に応答して、詳細情報の表示を許可することを表す許可応答情報が入力部によって入力されたとき、前記取得した詳細情報を予め定める表示態様で表示部に表示する第２の表示ステップとを実行させるためのプログラムとして提供することができる。
【００３２】
また本発明によれば、前記プログラムを記録したコンピュータ読取り可能な記録媒体として提供することができる。
【図面の簡単な説明】
【００３３】
【図１】本発明の一実施形態である情報表示システム１の構成を示すブロック図である。
【図２】ＴＶ用リモコン４０の外観の一例を示す図である。
【図３】情報端末１０および表示端末３０の動作の概要を説明するための図である。
【図４】表示端末３０に表示される画面の推移を説明するための図である。
【図５】表示端末３０に表示される表示可否確認情報の表示パターンの例を示す図である。
【図６】表示端末３０に表示される詳細情報の表示態様を示す図である。
【図７】ＣＰＵ１１が実行する第１の情報送信処理の処理手順を示すフローチャートである。
【図８】コントローラ３１が実行する第１の情報表示処理の処理手順を示すフローチャートである。
【図９】ＣＰＵ１１が実行する第２の情報送信処理の処理手順を示すフローチャートである。
【図１０】コントローラ３１が実行する第２の情報表示処理の処理手順を示すフローチャートである。
【発明を実施するための形態】
【００３４】
図１は、本発明の一実施形態である情報表示システム１の構成を示すブロック図である。情報表示システム１は、情報端末１０および表示端末３０を含んで構成される。本発明に係る情報表示方法は、情報表示システム１で実行される。
【００３５】
情報取得装置である情報端末１０は、インターネットなどのネットワークに接続可能な装置であり、たとえばセットトップボックス（以下「ＳＴＢ」という）、携帯電話機、情報端末装置、パーソナルコンピュータもしくはレコーダによって構成される。レコーダは、映像などの情報の記録および再生が可能な記録再生装置である。情報端末１０は、テレビジョン放送で提供される情報以外のさまざまの情報もネットワークを通じて収集することができる。
【００３６】
情報端末１０は、中央処理装置（以下「ＣＰＵ」という）１１、ＳＴＢ用メモリ１２、通信部１３、タイマ１４、映像出力部１５、ＳＴＢ用制御インタフェース部１６、ＳＴＢ用リモコン受信部１７およびＳＴＢ用リモートコントローラ（以下「リモコン」という）２０を含んで構成される。
【００３７】
ＣＰＵ１１は、ＳＴＢ用メモリ１２に記憶されるプログラムを実行することによって、通信部１３、タイマ１４、映像出力部１５、ＳＴＢ用制御インタフェース部１６およびＳＴＢ用リモコン受信部１７を制御する。ＳＴＢ用メモリ１２は、ＣＰＵ１１で実行されるプログラム、およびＣＰＵ１１が用いる情報を記憶し、ＣＰＵ１１によって情報の書込みおよび読出しが行われる。
【００３８】
通信部１３は、イーサネット（登録商標）などのＬＡＮ（Local Area Network）規格によってネットワークに接続され、ＣＰＵ１１から指示された情報をネットワーク、たとえばインターネットから取得し、取得した情報をＣＰＵ１１に送る。タイマ１４は、時刻を計時する計時部であり、ＣＰＵ１１は、タイマ１４を参照することによって、現在の時刻を取得することができる。また、ＣＰＵ１１が指定した時刻になっときに、指定した時刻になったことをＣＰＵ１１に知らせることもできる。
【００３９】
映像出力部１５は、ＣＰＵ１１から受取る映像情報を映像信号に変換し、変換した映像信号を表示端末３０の映像入力部３５に送信する。映像出力部１５と映像入力部３５とは、たとえばＤ端子ケーブル、ＤＶＩ（Digital Visual Interface）ケーブル、またはＨＤＭＩ（High-Definition Multimedia Interface）ケーブルなどのケーブルによって接続される。
【００４０】
ＳＴＢ用制御インタフェース部１６は、ＣＰＵ１１と表示端末３０のディスプレイコントローラ３１との間で制御情報を送受信するためのインタフェース制御部であり、表示端末３０のＴＶ用制御インタフェース部３６と接続される。制御情報は、たとえば後述する情報表示要求、情報表示許可、情報表示却下、メッセージ指定、メッセージ表示許可、メッセージ表示不可、および情報端末１０で生成されたダイアログなどの情報を含む。
【００４１】
ＳＴＢ用制御インタフェース部１６とＴＶ用制御インタフェース部３６とは、双方向の制御インタフェース、たとえばイーサネット（登録商標）、ＲＳ２３２Ｃ（Recommended Standard 232 version C）、ＵＳＢ（Universal Serial Bus）、ＩＥＥＥ（Institute
of Electrical and Electronic Engineers）１３９４、ＨＤＭＩのＣＥＣ（Consumer 
Electronics Control）などのインタフェースで接続される。ＨＤＭＩケーブルを用いる場合、映像音声信号であるＴＭＤＳ（Transition Minimized Differential Signaling）信号と、制御信号であるＣＥＣ信号とが１本のケーブルに収容されている。また、新たな仕様であるＨＤＭＩ１．４の場合には、ＴＭＤＳ信号、ＣＥＣ信号およびイーサネット（登録商標）の信号が１本のケーブルに収容されている。
【００４２】
ＳＴＢ用リモコン受信部１７は、ＳＴＢ用リモコン２０と無線通信で情報の送受信を行う。ＳＴＢ用リモコン受信部１７は、ＣＰＵ１１から受け取った情報をＳＴＢ用リモコン２０に送信し、ＳＴＢ用リモコン２０から受信した情報をＣＰＵ１１に送る。
【００４３】
情報表示装置である表示端末３０は、映像を表示することができる装置であり、たとえばテレビジョン受像機、液晶ディスプレイなどの表示装置を有するパーソナルコンピュータ、または表示装置に接続されるレコーダによって構成される。表示端末３０は、ディスプレイコントローラ（以下、単に「コントローラ」という）３１、テレビジョン（以下「ＴＶ」という）用メモリ３２、チューナ３３、表示部３４、映像入力部３５、ＴＶ用制御インタフェース部３６、ＴＶ用リモコン受信部３７およびＴＶ用リモコン４０を含んで構成される。
【００４４】
コントローラ３１は、たとえばＣＰＵによって構成され、ＴＶ用メモリ３２に記憶されるプログラムを実行することによって、チューナ３３、表示部３４、映像入力部３５、ＴＶ用制御インタフェース部３６およびＴＶ用リモコン受信部３７を制御する。ＴＶ用メモリ３２は、コントローラ３１で実行されるプログラム、およびコントローラ３１が用いる情報を記憶し、コントローラ３１によって情報の書込みおよび読出しが行われる。
【００４５】
チューナ３３は、テレビジョン放送を受信し、受信した信号をデータストリームに変換してコントローラ３１に送る。表示部３４は、たとえば液晶パネルによって構成され、コントローラ３１から受取る映像情報を表示する。映像入力部３５は、映像出力部１５に接続され、映像出力部１５から受信した映像信号を映像情報に変換し、変換した映像情報をコントローラ３１に送る。
【００４６】
ＴＶ用制御インタフェース部３６は、コントローラ３１とＣＰＵ１１との間で制御情報を送受信するためのインタフェース制御部であり、ＳＴＢ用制御インタフェース部１６と接続される。ＴＶ用リモコン受信部３７は、ＴＶ用リモコン４０と無線通信で情報の送受信を行う。ＴＶ用リモコン受信部３７は、コントローラ３１から受け取った情報をＴＶ用リモコン４０に送信し、ＴＶ用リモコン４０から受信した情報をコントローラ３１に送る。
【００４７】
コントローラ３１は、チューナ３３から受け取ったデータストリームをデコードし、デコードした映像情報（以下「テレビジョン放送の映像情報」という）に、映像入力部３５からの映像情報を合成し、合成した映像情報を表示部３４に送って表示させる。テレビジョン放送の映像情報は、表示部に表示すべき表示情報である。
【００４８】
図２は、ＴＶ用リモコン４０の外観の一例を示す図である。入力部であるＴＶ用リモコン４０は、表示端末３０のＴＶ用リモコン受信部３７と無線通信で情報の送受信を行う。ＴＶ用リモコン４０は、決定ボタン４１および終了ボタン４２を含む。決定ボタン４１は、「決定」を表わす決定情報を入力する操作ボタンであり、終了ボタン２２は、「終了」または「キャンセル」を表わす終了情報を入力する操作ボタンである。ＴＶ用リモコン４０は、決定ボタン４１が操作されると、決定情報を表示端末３０に送信し、終了ボタン４２が操作されると、終了情報を表示端末３０に送信する。決定情報は、許可応答情報である。
【００４９】
ＳＴＢ用リモコン２０は、情報端末１０のＳＴＢ用リモコン受信部１７と無線で情報の送受信を行う。ＳＴＢ用リモコン２０の外観は、ＴＶ用リモコン４０と同じであり、重複を避けるために説明は省略する。ＳＴＢ用リモコン２０では、決定ボタンが操作されると、決定情報を情報端末１０に送信し、終了ボタンが操作されると、終了情報を情報端末１０に送信する。
【００５０】
図３は、情報端末１０および表示端末３０の動作の概要を説明するための図である。図３（ａ）は、後述する詳細情報の表示可否を確認する動作を説明するための図である。情報端末１０は、インターネットなどのネットワーク２に接続されており、予め定める事象が発生したか否かを監視する。予め定める事象は、たとえば、新着の商品情報の発生、電子メールの受信、コンテンツのコピーの完了、および視聴予約していた番組の開始時刻到達などの事象であり、何を予め定める事象にするかは、ＳＴＢ用リモコン２０によって予め設定されている。
【００５１】
シーケンスＳ１では、情報端末１０は、予め定める事象の発生を検知すると、発生した事象に係る詳細情報を取得する。たとえばインターネットで新着の商品情報の発生を検知すると、インターネットを介して新着情報を取得する。詳細情報は、たとえば新着の商品の写真付きの商品情報、電子メールの内容、コピーされたコンテンツのリスト、および視聴予約していた番組の再生映像である。
【００５２】
シーケンスＳ２では、情報端末１０は、情報表示要求を表示端末３０に送信する。確認情報表示要求情報である情報表示要求は、発生した予め定める事象に係る詳細情報、たとえば新着の商品情報などの詳細情報を表示してよいか否かについての可否を視聴者に確認するための表示可否確認情報の表示を、表示端末３０に要求する情報である。表示可否確認情報は、たとえばダイアログあるいはアイコンである。
【００５３】
シーケンスＳ３では、情報表示要求を受信した表示端末３０は、表示可否確認情報、たとえばダイアログ５１を、テレビジョン放送の映像情報に合成して画面に表示する。図３（ａ）に示した画面には、「新着情報があります」というダイアログ５１が映像として表示されている。
【００５４】
シーケンスＳ４では、視聴者が、表示端末３０に表示されたダイアログ５１に応答して、詳細情報の表示を許可するためにＴＶ用リモコン４０の決定ボタンを操作すると、ＴＶ用リモコン４０は、表示端末３０に決定情報を送信示する。シーケンスＳ５では、ＴＶ用リモコン４０から決定情報を受信した表示端末３０は、情報表示許可を情報端末１０に送信する。詳細情報表示許可情報である情報表示許可は、視聴者が詳細情報の表示を許可したことを情報端末１０に通知し、詳細情報の送信を要求するための情報である。
【００５５】
図３（ｂ）は、詳細情報を表示する動作を説明するための図である。シーケンスＳ６では、表示端末３０から情報表示許可を受信した情報端末１０は、詳細情報、たとえば新着の商品の写真付きの商品情報などの詳細情報を表示端末３０に送信する。シーケンスＳ７では、表示端末３０は、情報端末１０から受信した詳細情報、たとえば新着の商品の写真付きの商品情報などの詳細情報を、テレビジョン放送の映像情報に合成して画面に表示する。図３（ｂ）の表示端末３０の画面には、詳細情報５２が映像として表示されている。
【００５６】
このように、情報表示システム１は、視聴者がテレビジョン放送を表示端末３０で見ながらにして、情報端末１０が収集した情報があることが通知されたときに、情報端末１０が収集した情報を、テレビジョン放送の映像に合成して表示端末３０に表示することができる。
【００５７】
図４は、表示端末３０に表示される画面の推移を説明するための図である。図４（ａ）は、初期状態の情報表示システム１を示す。初期状態では、情報端末１０は、予め定める事象の発生を監視する状態であり、表示端末３０は、チューナ３３で受信したテレビジョン放送の映像情報を表示部３４に表示している状態である。
【００５８】
図４（ｂ）は、ダイアログ表示状態の情報表示システム１を示す。ダイアログ表示状態は、表示端末３０がダイアログ５３をテレビジョン放送の映像情報に合成して表示部３４に表示している状態である。情報表示システム１の状態は、情報端末１０が予め定める事象の発生を検知して、情報表示要求を表示端末３０に送信し、そして、情報表示要求を受信した表示端末３０がダイアログ５３を表示部３４に表示したときに、初期状態からダイアログ表示状態に移る。ダイアログ５３は、視聴者に詳細情報の表示可否を確認するためのメッセージであり、図４（ｂ）には、「新着情報があります。詳細を見ますか？」というダイアログ５３が示されている。
【００５９】
図４（ｃ）は、詳細情報表示状態の情報表示システム１を示す。詳細情報表示状態は、表示端末３０が詳細情報をテレビジョン放送の映像情報に合成して表示部３４に表示している状態である。情報表示システム１の状態は、ダイアログ５３に応答してＴＶ用リモコン４０の決定ボタンが操作されて、表示端末３０が情報表示許可を情報端末１０に送信し、情報表示許可を送信した情報端末１０が詳細情報を表示端末３０に送信し、そして、表示端末３０がテレビジョン放送の映像情報に、受信した詳細情報を合成して表示部３４に表示したときに、ダイアログ表示状態から詳細情報表示状態に移る。図４（ｃ）には、「サマーバーゲン開催中！」という詳細情報が示されている。
【００６０】
図５は、表示端末３０に表示される表示可否確認情報の表示パターンの例を示す図である。図５（ａ）は、表示可否確認情報としてダイアログ５３を中央に表示した画面６０である。ダイアログ５３は、図４（ｂ）に示したものと同じである。中央に表示するときは、ダイアログ５３は、半透明とすることによって、視聴の妨げとならないように表示する。また、視聴の妨げにならない程度の短時間、たとえば３秒程度の表示であれば、半透明にする必要はない。
【００６１】
図５（ｂ）は、表示可否確認情報としてダイアログ５５を右上角に表示した画面６１である。右上角に表示されるダイアログ５５は、予め定める文字数、たとえば４文字以下の文字からなるダイアログである。図５（ｂ）には、「新着受信」という４文字のダイアログ５５が示されている。図５（ｃ）は、表示可否確認情報としてアイコン６６を右上角に表示した画面６２である。図５（ｃ）には、アイコン５６として、情報受信を示すアイコン「！」が示されている。
【００６２】
図５（ｂ），（ｃ）に示した例では、予め定める文字数以下の文字からなるダイアログまたはアイコンを、画面の右上角に表示したが、画面の右上角に限定されるものではなく、右下角、左上角および左下角のうちのいずれかに表示してもよい。
【００６３】
また、いずれの表示パターンを用いるかは、情報端末１０が情報表示要求を表示端末３０に送信するときに指定するようにしてもよいし、予め視聴者が表示端末３０に設定しておくようにしてもよいし、表示端末３０が表示部３４への表示状況に応じて選択してもよいし、あるいはこれらの方法を組み合わせてもよい。
【００６４】
情報端末１０が情報表示要求を表示端末３０に送信するときに指定する場合は、情報端末１０は、予め定める事象の種類、あるいは取得した情報などの緊急度もしくは重要度などに基づいて、どの表示パターンを用いるかを決定する。具体的には、表示パターンを識別するための表示パターン識別情報を予め決めて、予め定める事象の種類、あるいは取得した情報などの緊急度もしくは重要度と、表示パターン識別情報とを対応付けてＳＴＢ用メモリ１２に記憶し、かつ表示パターン識別情報と表示パターンとをＴＶ用メモリ３２に記憶しておく。情報端末１０は、決定した表示パターンの表示パターン識別情報を、情報表示要求とともに表示端末３０に送信する。表示端末３０は、情報端末１０から受け取った表示パターン識別情報に対応する表示パターンをＴＶ用メモリ３２から読み出し、読み出した表示パターンでダイアログを表示する。
【００６５】
緊急度もしくは重要度が高い場合は、中央部に表示する表示パターンを用い、緊急度もしくは重要度が中程度の場合は、予め定める文字数以下の文字からなるダイアログを右上角に表示する表示パターンを用い、そして、緊急度もしくは重要度が高い場合は、右上角にアイコンを表示する表示パターンを用いる。
【００６６】
予め視聴者が表示端末３０に設定しておく場合は、視聴者がダイアログの表示に用いる表示パターンを選択し、選択された表示パターンをＴＶ用メモリ３２に記憶しておく。表示端末３０は、情報端末１０から情報表示要求を受け取ったとき、ＴＶ用メモリ３２に記憶されている表示パターンでダイアログを表示する。
【００６７】
表示端末３０が表示部３４への表示状況に応じて選択する場合は、表示端末３０は、情報表示要求を受け取ったときの状況に応じて表示パターンを変えてダイアログを表示する。たとえば情報表示要求を受け取ったとき、視聴者がＴＶ用リモコン４０でメニュー画面を表示して操作を行っているときは、右上角にアイコンを表示する表示パターンでダイアログを表示し、それ以外のときは、中央部に表示する表示パターンでダイアログを表示する。
【００６８】
図５に示した表示パターンの例は、表示部３４の画面に映像としてダイアログあるいはアイコンを表示する例を示したが、画面に表示するものに限定されるものではない。たとえば表示端末３０にＬＥＤ（Light Emitting Diode）などの発光部を設け、この発光部を点灯することによって、予め定める事象が発生し、その事象に係る詳細情報を表示してよいか否かを視聴者に確認してもよい。
【００６９】
図６は、表示端末３０に表示される詳細情報の表示態様を示す図である。図６（ａ）は、テレビジョン放送の映像情報を親画面に表示し、詳細情報を子画面に表示する第１の表示態様で表示した画面６３を示す。第１の表示態様は、ＰｉｎＰ形式の表示態様である。図６（ａ）には、親画面６３１にテレビジョン放送の映像情報が表示され、子画面６３２に詳細情報「サマーバーゲン開催中！」が表示されている。
【００７０】
図６（ｂ）は、詳細情報を親画面に表示し、テレビジョン放送の映像情報を子画面に表示する第２の表示態様で表示した画面６４を示す。第２の表示態様は、ＰｉｎＰ逆形式の表示態様である。図６（ｂ）には、親画面６４１に詳細情報「サマーバーゲン開催中！」が表示され、子画面６４２にテレビジョン放送の映像情報が表示されている。
【００７１】
図６（ｃ）は、２分割した画面の一方にテレビジョン放送の映像情報を表示し、他方に詳細情報を表示する第３の表示態様で表示した画面６５を示す。第３の表示態様は、２画面表示形式の表示態様である。図６（ｃ）には、左画面６５１に詳細情報「サマーバーゲン開催中！」が表示され、右画面６５２にテレビジョン放送の映像情報が表示されている。
【００７２】
図６（ｄ）は、図６（ａ）に示した第１の表示態様の変形であり、テレビジョン放送の映像情報を親画面に表示し、詳細情報を画面の右側あるいは左側に縦長に設ける子画面に表示する表示態様で表示した画面６６を示す。この表示態様は、サイドバー形式の表示態様である。図６（ｄ）には、親画面６６１にテレビジョン放送の映像情報が表示され、サイドバー形式の子画面６６２に詳細情報「サマーバーゲン開催中！」が表示されている。
【００７３】
図６（ｅ）は、詳細情報のみを全画面に表示する第４の表示態様で表示した画面６７を示す。第４の表示態様は、入力を切り換える表示態様である。図６（ｅ）には、全画面６７１に詳細情報「サマーバーゲン開催中！」が表示されている。第１〜第４の表示態様は、予め定める表示態様である。
【００７４】
いずれの表示態様を用いるかは、表示パターンの場合と同様に、情報端末１０が情報表示要求を表示端末３０に送信するときに指定するようにしてもよいし、予め視聴者が表示端末３０に設定しておくようにしてもよいし、表示端末３０が表示部３４への表示状況に応じて選択してもよいし、あるいはこれらの方法を組み合わせてもよい。
【００７５】
図７は、ＣＰＵ１１が実行する第１の情報送信処理の処理手順を示すフローチャートである。第１の情報送信処理は、表示端末３０で生成されるダイアログを用いる場合の情報送信処理である。情報端末１０の電源が投入されて動作可能状態になると、ステップＡ１に移る。
【００７６】
ステップＡ１では、ＣＰＵ１１は、情報を待ち受ける。すなわち、ＣＰＵ１１は、予め定める事象が発生するか否かを監視する待機状態である。予め定める事象の発生を検知すると、たとえば、インターネットで新着の商品があるか否かを監視しているときに新着の商品情報の発生を検知けると、ステップＡ２に進む。以下、予め定める事象のことを「イベント」ともいう。
【００７７】
ステップＡ２では、ＣＰＵ１１は、情報を受信する。具体的には、ＣＰＵ１１は、発生を検知した予め定める事象に係る詳細情報、たとえば検知した新着の商品情報、すなわち新着情報をインターネットから取得する。ステップＡ３では、ＣＰＵ１１は、情報表示要求をＳＴＢ用制御インタフェース部１６によって表示端末３０に送信する。ステップＡ４では、ＣＰＵ１１は、表示端末３０からの応答を待ち、応答をＳＴＢ用制御インタフェース部１６によって受信する。
【００７８】
ステップＡ５では、ＣＰＵ１１は、応答が表示ＯＫであるか否かを判定する。表示ＯＫとは、ＳＴＢ用制御インタフェース部１６によって受信した応答が、詳細情報の表示を許可することを表す情報表示許可であることである。ＳＴＢ用制御インタフェース部１６によって受信した応答が情報表示許可であると、応答が表示ＯＫであると判定し、ステップＡ７に進む。ＳＴＢ用制御インタフェース部１６によって受信した応答が、詳細情報の表示を却下することを表す情報表示却下であると、応答が表示ＯＫでないと判定し、ステップＡ６に進む。
【００７９】
ステップＡ６では、ＣＰＵ１１は、情報表示却下の応答を受けたイベントを未表示情報リストに追加して、ステップＡ１に戻る。未表示情報リストは、情報表示却下の応答を受けたイベントを登録するリストであり、ＳＴＢ用メモリ１２に記憶される。未表示情報リストに登録されたイベントに係る詳細情報も、ＳＴＢ用メモリ１２に記憶される。
【００８０】
情報端末１０は、表示端末３０から表示可能になったことを知らされたとき、未表示情報リストに登録されたイベントがあると、未表示の詳細情報を表示するために、再度情報表示要求を表示端末３０に送信して、応答を待ち、応答が情報表示許可であると、表示ＯＫであると判定し、ステップＡ７に進む。応答が情報表示却下であると、ステップＡ１に戻る。
【００８１】
ステップＡ７では、ＣＰＵ１１は、情報表示画面を出力し、第１の情報送信処理を終了する。すなわち、ステップＡ２で受信した詳細情報を表示する画面を作成し、作成した画面の映像情報である詳細情報画面映像情報を、映像出力部１５によって表示端末３０に送信し、第１の情報送信処理を終了する。
【００８２】
図８は、コントローラ３１が実行する第１の情報表示処理の処理手順を示すフローチャートである。第１の情報表示処理は、表示端末３０で生成されるダイアログを用いる場合の情報表示処理である。表示端末３０の電源が投入されてテレビジョン放送の映像を表示することができる状態になると、ステップＢ１に移る。
【００８３】
ステップＢ１では、コントローラ３１は、チューナ３３で受信したテレビジョン放送の映像情報を表示部３４に表示する。すなわち、コントローラ３１は、初期状態、たとえば図４（ａ）に示した状態である。ステップＢ２では、コントローラ３１は、情報端末１０から送信された情報表示要求を受信する。ステップＢ３では、コントローラ３１は、表示可否確認情報、たとえばダイアログを生成し、生成したダイアログをテレビジョン放送の映像情報に合成して表示部３４に表示する。すなわち、コントローラ３１は、ダイアログ表示状態になり、たとえば図４（ｂ）に示したダイアログ５３を表示する。
【００８４】
コントローラ３１は、情報表示要求を受信すると、直ちにダイアログを生成し、生成したダイアログをテレビジョン放送の映像情報に合成して表示部３４に表示するが、視聴への影響をより低減するために、チャネルを切り換えたときあるいは番組が切り換わったときに表示されるチャネル表示の一部に、ダイアログあるいはアイコンを含めて表示するようにしてもよい。
【００８５】
ステップＢ４では、コントローラ３１は、ＴＶ用リモコン４０から入力があったか否かを判定する。ＴＶ用リモコン４０から受信した情報が、ＴＶ用リモコン４０の操作ボタンのうちのいずれかの操作ボタンによって入力された情報であると、ＴＶ用リモコン４０から入力があったと判定し、ステップＢ８に進む。ＴＶ用リモコン４０から受信した情報が、ＴＶ用リモコン４０の操作ボタンのうちのいずれかの操作ボタンによって入力された情報でないと、ＴＶ用リモコン４０から入力がなかったと判定し、ステップＢ５に進む。
【００８６】
ステップＢ５では、コントローラ３１は、所定時間経過したか否かを判定する。具体的には、コントローラ３１は、タイマ１４を参照することによって、ダイアログを表示部３４に表示してからの時間を計測し、計測した時間が所定時間、たとえば３秒を経過しているとき、ステップＢ６に進み、計測した時間が所定時間、たとえば３秒を経過していないとき、ステップＢ４に戻る。ステップＢ４，５は、ＴＶ用リモコン４０での操作待ち状態である。
【００８７】
所定時間は、詳細情報の緊急度もしくは重要度によって、変化させてもよい。最も緊急度が高いあるいは最も重要度が高い詳細情報についてのダイアログは、ＴＶ用リモコン４０での操作があるまで、ダイアログを表示し続けるようにしてもよい。この場合、情報端末１０は、詳細情報の緊急度もしくは重要度を表わす情報を、情報表示要求を表示端末３０に送信するとき、同時に送信し、表示端末３０は、情報表示要求を受信したときに、詳細情報の緊急度もしくは重要度を表わす情報も受信すると、ＴＶ用リモコン４０での操作があるまで、ダイアログを表示し続ける。
【００８８】
ステップＢ６では、コントローラ３１は、情報表示却下をＴＶ用制御インタフェース部３６によって情報端末１０に送信する。ステップＢ７では、コントローラ３１は、ダイアログを消去して、第１の情報表示処理を終了する。具体的には、コントローラ３１は、ダイアログをテレビジョン放送の映像情報に合成することを止めて、テレビジョン放送の映像情報のみを表示部３４に表示して、第１の情報表示処理を終了する。
【００８９】
ステップＢ８では、コントローラ３１は、入力キーが終了ボタン４２であるか否かを判定する。入力キーとは、入力操作が行われたキー、つまり操作ボタンのことである。ＴＶ用リモコン４０から受信した情報が、終了ボタン４２によって入力された終了情報であるとき、ステップＢ６に進む。ＴＶ用リモコン４０から受信した情報が、終了ボタン４２によって入力された終了情報でないとき、ステップＢ９に進む。
【００９０】
ステップＢ９では、コントローラ３１は、入力キーが決定ボタン４１であるか否かを判定する。ＴＶ用リモコン４０から受信した情報が、決定ボタン４１によって入力された決定情報であるとき、ステップＢ１０に進む。ＴＶ用リモコン４０から受信した情報が、決定ボタン４１によって入力された決定情報でないとき、ステップＢ４に戻る。
【００９１】
ステップＢ１０では、コントローラ３１は、情報表示許可をＴＶ用制御インタフェース部３６によって情報端末１０に送信する。ステップＢ１１では、コントローラ３１は、映像入力部３５によって受信する詳細情報画面映像情報を、テレビジョン放送の映像情報に合成して表示部３４に表示して、第１の情報表示処理を終了する。すなわち、コントローラ３１は、詳細情報表示状態になり、たとえば図４（ｃ）に示した詳細情報「サマーバーゲン開催中！」を表示する。
【００９２】
詳細情報画面映像情報をテレビジョン放送の映像情報に合成して表示部３４に表示しているときに、ＴＶ用リモコン４０で終了ボタン４２が操作され、表示端末３０がＴＶ用リモコン４０から終了情報を受信すると、表示端末３０は、詳細情報画面映像情報の終了を指示する終了指示情報を情報端末１０に送信する。情報端末１０は、表示端末３０から終了指示情報を受信すると、映像出力部１５による詳細情報画面映像情報の送信を終了する。
【００９３】
図７に示したステップＡ１〜Ａ３は、第１の送信ステップであり、図８に示したステップＢ２，Ｂ３は、第１の表示ステップであり、図８に示したステップＢ４，Ｂ５，Ｂ８〜Ｂ１０は、第２の送信ステップであり、図７に示したステップＡ４，Ａ５，Ａ７は、第３の送信ステップであり、図８に示したステップＢ１１は、第２の表示ステップである。または、図７に示したステップＡ１，Ａ２は、取得ステップであり、図７に示したステップＡ３および図８に示したステップＢ２，Ｂ３は、第１の表示ステップであり、図７に示したステップＡ４，Ａ５，Ａ７および図８に示したステップＢ４，Ｂ５，Ｂ８〜Ｂ１１は、第２の表示ステップである。
【００９４】
図９は、ＣＰＵ１１が実行する第２の情報送信処理の処理手順を示すフローチャートである。第２の情報送信処理は、情報端末１０で生成されるダイアログ（以下、「第２のダイアログ」という）、または表示端末３０で生成されるダイアログを用いる場合の情報送信処理である。情報端末１０の電源が投入されて動作可能状態になると、ステップＣ１に移る。ステップＣ１，Ｃ２は、図７に示したステップＡ１，Ａ２と同じ処理であり、重複を避けるために説明は省略する。第２のダイアログは、第２の表示可否確認情報である。
【００９５】
ステップＣ３では、ＣＰＵ１１は、メッセージ指定とともに情報表示要求を送信する。具体的には、ＣＰＵ１１は、ＳＴＢ用制御インタフェース部１６によって、情報表示要求にメッセージ指定を付加して表示端末３０に送信する。代替可否確認情報であるメッセージ指定は、表示端末３０が表示部３４に表示するダイアログを、表示端末３０が生成するダイアログに代えて、情報端末１０が生成して送信するダイアログを表示することを表示端末３０要求する情報である。以下、「ダイアログ」のことを、「ダイアログメッセージ」ともいう。
【００９６】
ＣＰＵ１１は、表示端末３０によって生成されるダイアログメッセージあるいはアイコンの中から選択するだけでは足りないと判断したとき、メッセージ指定を行う。すなわち、表示端末３０によって生成されるダイアログメッセージあるいはアイコンの中に、発生したイベントに対応したものがないときに、メッセージ指定を行う。
【００９７】
ステップＣ４では、ＣＰＵ１１は、表示端末３０からのダイアログメッセージ表示の応答を待ち、ダイアログメッセージ表示の応答をＳＴＢ用制御インタフェース部１６によって受信する。ダイアログメッセージ表示とは、情報端末１０が生成するダイアログメッセージの表示を許可するか否かを示す情報である。
【００９８】
ステップＣ５では、ＣＰＵ１１は、メッセージ表示許可であるか否かを判定する。確認情報表示許可情報であるメッセージ表示許可は、ダイアログメッセージの表示を許可することを示す情報であり、メッセージ表示不可は、ダイアログメッセージの表示を許可しないことを示す情報である。ＣＰＵ１１は、ＳＴＢ用制御インタフェース部１６によって受信したダイアログメッセージ表示の応答がメッセージ表示許可であるとき、ステップＣ７に進む。ＳＴＢ用制御インタフェース部１６によって受信したダイアログメッセージ表示の応答がメッセージ表示不可あるとき、ステップＣ６に進む。
【００９９】
ステップＣ６では、ＣＰＵ１１は、詳細情報表示応答処理を実行して、第２の情報送信処理を終了する。詳細情報表示応答処理は、図７に示したステップＡ４〜Ａ７の処理と同じであり、重複を避けるために説明は省略する。ステップＣ７では、ＣＰＵ１１は、ダイアログメッセージを生成し、生成したダイアログメッセージをＳＴＢ用制御インタフェース部１６によって表示端末３０に送信して、ステップＣ６に進む。
【０１００】
ＣＰＵ１１は、発生したイベントの詳細情報の提供元が、詳細情報とともに、視聴者に知らせるための短いメッセージも併せて提供する場合、その短いメッセージをそのままダイアログメッセージとして生成する。そのような短いメッセージを利用することができない場合、発生が想定されるイベントごとに予めダイアロメッセージをＳＴＢ用メモリ１２に記憶しておき、イベントが発生したとき、ＣＰＵ１１は、発生したイベントに対応するダイアロメッセージをＳＴＢ用メモリ１２から読み出し、読み出したダイアログメッセージを生成したダイアログメッセージとする。表示端末３０からのダイアログメッセージ表示の応答であるメッセージ表示許可に、表示可能な文字数の指定が付加されているときは、ＣＰＵ１１は、指定された文字数以下のダイアログメッセージを生成する。
【０１０１】
図１０は、コントローラ３１が実行する第２の情報表示処理の処理手順を示すフローチャートである。第２の情報表示処理は、第２のダイアログ、または表示端末３０で生成されるダイアログを用いる場合の情報表示処理である。表示端末３０の電源が投入されてテレビジョン放送の映像を表示することができる状態になると、ステップＤ１に移る。ステップＤ１，Ｄ２は、図８に示したステップＢ１，Ｂ２と同じ処理であり、重複を避けるために説明は省略する。
【０１０２】
ステップＤ３では、コントローラ３１は、メッセージ指定があるか否かを判定する。ステップＢ２で受信した情報表示要求にメッセージ指定が付加されていると、メッセージ指定があると判定し、ステップＤ６に進む。ステップＢ２で受信した情報表示要求にメッセージ指定が付加されていないと、メッセージ指定がないと判定し、ステップＤ４に進む。
【０１０３】
ステップＤ４では、コントローラ３１は、ダイアログを生成し、生成したダイアログをテレビジョン放送の映像情報に合成して表示部３４に表示する。すなわち、コントローラ３１は、ダイアログ表示状態になり、たとえば図４（ｂ）に示したダイアログ５３を表示する。ステップＤ５では、コントローラ３１は、リモコン入力応答表示処理を実行して、第２の情報表示処理を終了する。リモコン入力応答表示処理は、図８に示したステップＢ４〜Ｂ１１と同じ処理であり、重複を避けるために説明は省略する。
【０１０４】
ステップＤ６では、コントローラ３１は、メッセージ指定で表示可能であるか否かを判定する。表示端末３０が第２のダイアログを表示することができる状態であるとき、メッセージ指定で表示可能であると判定し、ステップＤ８に進む。表示端末３０が第２のダイアログを表示することができない状態であるとき、メッセージ指定で表示可能でないと判定し、ステップＤ７に進む。
【０１０５】
表示端末３０が第２のダイアログを表示することができない状態は、たとえば視聴者が番組表あるいは設定画面などを画面に表示して操作を行っているために、第２のダイアログを表示するために必要な十分なスペースが画面にない場合である。この場合、表示端末３０は、表示するのに十分なスペースがなくても表示することができるアイコンを表示する。表示端末３０が第２のダイアログを表示することができる状態は、表示端末３０が第２のダイアログを表示することができない状態以外の状態である。
【０１０６】
ステップＤ７では、コントローラ３１は、メッセージ表示不可を通知する。すなわち、コントローラ３１は、メッセージ表示不可をＴＶ用制御インタフェース部３６によって情報端末１０に送信し、ステップＤ４に進む。ステップＤ８では、コントローラ３１は、メッセージ表示許可を通知する。すなわち、コントローラ３１は、メッセージ表示許可をＴＶ用制御インタフェース部３６によって情報端末１０に送信し、ステップＤ９に進む。コントローラ３１は、表示スペースが十分でないとき、メッセージ表示不可を送信するのではなく、表示可能な文字数の指定をメッセージ表示許可に付加して、メッセージ表示許可をＴＶ用制御インタフェース部３６によって情報端末１０に送信するようにしてもよい。
【０１０７】
ステップＤ９では、コントローラ３１は、メッセージ内容、つまり情報端末１０が生成したダイアログメッセージをＴＶ用制御インタフェース部３６によって情報端末１０から受信する。ステップＤ１０では、コントローラ３１は、受信したメッセージ内容、つまり情報端末１０が生成したダイアログメッセージを、テレビジョン放送の映像情報に合成して表示部３４に表示して、ステップＤ５に進む。すなわち、コントローラ３１は、ダイアログ表示状態になり、たとえば図４（ｂ）に示したダイアログ５３の代わりに、情報端末１０が生成したダイアログメッセージを表示して、ステップＤ５に進む。
【０１０８】
図９に示したステップＣ１〜Ｃ３は、第１の送信ステップであり、図１０に示したステップＤ２〜Ｄ４は、第１の表示ステップであり、図９に示したステップＣ６は、第３の送信ステップであり、図１０に示したステップＤ５は、第２の送信ステップおよび第２の表示ステップである。または、図９に示したステップＣ１，Ｃ２は、取得ステップであり、図９に示したステップＣ３〜Ｃ５および図１０に示したステップＤ２〜Ｄ４は、第１の表示ステップであり、図９に示したステップＣ６および図１０に示したステップＤ５は、第２の表示ステップである。
【０１０９】
上述した実施形態では、詳細情報をテレビジョン放送の映像情報に合成して表示部３４に表示する例を用いて説明したが、詳細情報の表示形態はこれに限定されるものではなく、図６に示した表示形態のうちのいずれの表示形態であってもよいし、これら以外の表示形態を用いてもよい。
【０１１０】
表示端末３０は、詳細情報の再表示が可能である。具体的には、表示端末３０は、表示部３４に表示した詳細情報をＴＶ用メモリ３２に記憶する。表示端末３０は、ＴＶ用リモコン４０の操作によって、ＴＶ用メモリ３２に記憶した詳細情報の一覧画面を表示し、ＴＶ用リモコン４０の操作によって所望の詳細情報が選択されると、選択された詳細情報を表示部３４に表示する。
【０１１１】
上述した実施形態では、表示端末３０は、テレビジョン放送の映像情報を表示したが、表示端末３０がパーソナルコンピュータである場合は、パーソナルコンピュータに記憶される画像などの映像情報であってもよいし、表示端末３０がレコーダである場合は、記録した映像を再生した再生映像の映像情報であってもよい。
【０１１２】
上述した実施形態では、ＣＰＵ１１がＳＴＢ用メモリ１２に記憶されるプログラムを実行することによって、通信部１３、タイマ１４、映像出力部１５、ＳＴＢ用制御インタフェース部１６およびＳＴＢ用リモコン受信部１７を制御し、コントローラ３１がＴＶ用メモリ３２に記憶されるプログラムを実行することによって、チューナ３３、表示部３４、映像入力部３５、ＴＶ用制御インタフェース部３６およびＴＶ用リモコン受信部３７を制御するが、これらのプログラムは、ＳＴＢ用メモリ１２またはＴＶ用メモリ３２に記憶されることに限定されるものではなく、コンピュータで読取り可能な記録媒体に記録されていてもよい。記録媒体は、たとえば図示しない外部記憶装置としてプログラム読取装置を情報端末１０および表示端末３０にそれぞれに設け、そこに記録媒体を挿入することによって読取り可能な記録媒体であってもよいし、あるいは他の装置の記憶装置であってもよい。
【０１１３】
いずれの記録媒体であっても、記憶されているプログラムが、コンピュータ、たとえばＣＰＵ１１およびコントローラ３１からアクセスされて実行される構成であればよい。あるいはいずれの記録媒体であっても、プログラムが読み出され、読み出されたプログラムが、記憶装置のプログラム記憶エリアに記憶されて、そのプログラムが実行される構成であってもよい。
【０１１４】
情報端末１０および表示端末３０と分離可能に構成される記録媒体は、たとえば磁気テープ／カセットテープなどのテープ系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disc）／ＤＶＤ（Digital Versatile Disk）／ＣＤ−Ｒ（Compact Disk Recordable）／ブルーレイディスクなどの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only 
Memory）／フラッシュＲＯＭなどの半導体メモリを含む固定的にプログラムを担持する記録媒体であってもよい。
【０１１５】
また、情報端末１０および表示端末３０を通信ネットワークと接続可能に構成し、通信ネットワークを介して上記プログラムを供給してもよい。この通信ネットワークとしては、特に限定されず、たとえば、インターネット、イントラネット、エキストラネット、ＬＡＮ（Local Area Network）、ＩＳＤＮ（Integrated Services Digital Network）、ＶＡＮ（Value Added Network）、ＣＡＴＶ（Community Antenna Television）通信網、仮想専用網（V irtual Private Network）、電話回線網、移動体通信網、または衛星通信網など通信ネットワークが利用可能である。また、通信ネットワークを構成する伝送媒体としては、特に限定されず、たとえば、ＩＥＥＥ１３９４、ＵＳＢ（Universal Serial Bus
）、電力線搬送、ケーブルＴＶ回線、電話線、ＡＤＳＬ（Asymmetric Digital
Subscriber Line）回線等の有線でも、ＩｒＤＡ（Infrared Data Association）あるいはリモートコントローラで用いられる赤外線、Ｂｌｕｅｔｏｏｔｈ（登録商標）、８０２．１１無線、ＨＤＲ（High Data Rate）、携帯電話網、衛星回線、地上波デジタル網などの無線でも利用可能である。なお、本発明は、上記プログラムが電子的な伝送で具現化された、搬送波に埋め込まれたコンピュータデータ信号の形態でも実現され得る。
【０１１６】
このように、情報表示システム１は、情報端末１０と表示端末３０とを含む。情報端末１０は、予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を表示端末３０に要求するための情報表示要求を表示端末３０に送信し、詳細情報の表示を許可することを表す情報表示許可を表示端末３０から受信すると、前記取得した詳細情報を表示端末３０に送信する。情報を表示する表示部３４および情報を入力するＴＶ用リモコン４０を含む表示端末３０は、情報端末１０から情報表示要求を受信すると、受信した情報表示要求に基づいて、表示部３４に表示するための表示可否確認情報を生成し、生成した表示可否確認情報を、テレビジョン放送の映像情報に合成して表示部３４に表示し、表示部３４に表示した表示可否確認情報に応答して、詳細情報の表示を許可することを表す決定情報がＴＶ用リモコン４０によって入力されたとき、情報表示許可を情報端末１０に送信し、情報端末１０から詳細情報を受信すると、受信した詳細情報を予め定める表示態様で表示部３４に表示する。
【０１１７】
したがって、表示可否確認情報、たとえばダイアログまたはアイコンを表示して、視聴者に詳細情報の表示可否を確認してから画面の表示態様を切り替えて詳細情報を表示するので、視聴者が必要なときだけ詳細情報を表示させることができる。したがって、テレビジョンの視聴の妨げとなることなく、かつタイムリーに新たに生じた情報、つまり新たに生じた事象に係る詳細情報を画面に表示することができる。
【０１１８】
さらに、情報端末１０は、取得した詳細情報を表示してよいか否かについての可否を視聴者に確認するための第２のダイアログを生成し、情報表示要求を表示端末３０に送信するとき、生成した第２のダイアログを表示可否確認情報に代えて表示可能であるか否かを表示端末３０に確認するためのメッセージ指定を表示端末３０に送信する。表示端末３０は、情報端末１０からメッセージ指定を受信したとき、第２のダイアログを表示部３４に表示することができる状態であるか否かを判定し、第２のダイアログを表示部３４に表示することができる状態である場合、第２のダイアログの表示を許可することを表すメッセージ表示許可を情報端末１０に送信する。情報端末１０は、表示端末３０からメッセージ表示許可を受信すると、前記生成した第２のダイアログを情報端末１０に送信する。そして、表示端末３０は、情報端末１０から第２のダイアログを受信すると、受信した第２のダイアログを、テレビジョン放送の映像情報に合成して表示部３４に表示し、表示部３４に表示された第２のダイアログに応答して、詳細情報の表示を許可することを表す決定情報がＴＶ用リモコン４０によって入力されたとき、情報表示許可を情報端末１０に送信する。したがって、表示端末３０が表示可能なとき、情報端末１０が生成する第２のダイアログを、表示端末３０が生成する表示可否確認情報に代えて、表示端末３０に表示することができるので、より詳細情報に適したダイアログなどの確認情報を表示することができる。
【０１１９】
さらに、表示端末３０は、表示可否確認情報を、画面の中央部に表示する表示パターン、予め定める文字数以下の文字からなり、画面の角のうちのいずれかの角に表示する表示パターン、および予め定めるアイコンが画面の角のうちのいずれかの角に表示する表示パターンのうちのいずれか１つの表示パターンで表示する。したがって、表示可否確認情報を視聴者の妨げにならない最適な表示パターンとすることができる。
【０１２０】
さらに、前記予め定める表示態様は、表示情報を親画面に表示し、詳細情報を子画面に表示する第１の表示態様、詳細情報を親画面に表示し、表示情報を子画面に表示する第２の表示態様、２分割した画面の一方に表示情報を表示し、他方に詳細情報を表示する第３の表示態様、および詳細情報のみを画面に表示する第４の表示態様のうちのいずれか１つの表示態様である。したがって、表示可否確認情報を視聴者の好みに応じた表示態様で表示することができる。
【０１２１】
さらに、前記予め定める事象および該予め定める事象に係る詳細情報は、新着の商品情報の発生およびその商品情報、電子メールの受信および受信した電子メールの内容、コンテンツのコピーの完了およびコピーされたコンテンツのリスト、ならびに視聴予約していた番組の開始時刻到達および視聴予約していた番組の再生映像のうちの少なくともいずれか１つである。したがって、種々の事象の発生を、視聴者の視聴の妨げとなることなく、かつタイムリーに通知することができる。
【０１２２】
さらに、情報端末１０は、予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を表示端末３０に要求するための情報表示要求を表示端末３０に送信し、詳細情報の表示を許可することを表す情報表示許可を表示端末３０から受信すると、前記取得した詳細情報を表示端末３０に送信する。したがって、予め定める事象の発生を検知したときに、視聴者に詳細情報の表示可否を確認するための表示可否確認情報を表示端末３０に表示させ、表示可を確認してから詳細情報を表示端末３０に表示させることができる。
【０１２３】
さらに、表示端末３０は、情報を表示する表示部３４および情報を入力するＴＶ用リモコン４０を含み、情報端末１０から、予め定める事象の発生が検知されたときに取得された詳細情報を表示してよいか否かについての可否を視聴者に確認するための表示可否確認情報の表示を表示端末３０に要求するための情報表示要求を受信したとき、受信した情報表示要求に基づいて、表示部３４に表示するための表示可否確認情報を生成し、生成した表示可否確認情報を、テレビジョン放送の映像情報に合成して表示部３４に表示し、表示部３４に表示された表示可否確認情報に応答して、詳細情報の表示を許可することを表す決定情報がＴＶ用リモコン４０によって入力されたとき、詳細情報の表示を許可することを表す情報表示許可を情報端末１０に送信し、情報端末１０から詳細情報を受信すると、受信した詳細情報を予め定める表示態様で表示部３４に表示する。
【０１２４】
したがって、情報端末１０が予め定める事象の発生を検知したときに、視聴者に詳細情報の表示可否を確認するための表示可否確認情報を表示することができ、表示可を確認してから詳細情報を表示することができる。
【０１２５】
さらに、情報端末１０と、情報を表示する表示部３４および情報を入力するＴＶ用リモコン４０を含む表示端末３０とを含む情報表示システム１で情報を表示するにあたって、図７に示したステップＡ１〜Ａ３または図９に示したステップＣ１〜Ｃ３では、情報端末１０が、予め定める事象の発生を監視し、予め定める事象の発生を検知したとき、発生を検知した予め定める事象に係る詳細情報を取得し、取得した詳細情報を表示してよいか否かについての可否を視聴者に確認するための表示可否確認情報の表示を表示端末３０に要求するための情報表示要求を表示端末３０に送信する。図８に示したステップＢ２，Ｂ３または図１０に示したステップＤ２〜Ｄ４では、表示端末３０が、情報端末１０から情報表示要求を受信したとき、表示部３４に表示するための表示可否確認情報を生成し、生成した表示可否確認情報を、テレビジョン放送の映像情報に合成して表示部３４に表示する。図８に示したステップＢ４，Ｂ５，Ｂ８〜Ｂ１０または図１０に示したステップＤ５では、表示端末３０が、表示部３４に表示した表示可否確認情報に応答して、詳細情報の表示を許可することを表す決定情報がＴＶ用リモコン４０によって入力されたとき、詳細情報の表示を許可することを表す情報表示許可を情報端末１０に送信する。図７に示したステップＡ４，Ａ５，Ａ７または図９に示したステップＣ６では、情報端末１０が、表示端末３０から情報表示許可を受信したとき、前記取得した詳細情報を表示端末３０に送信する。そして、図８に示したステップＢ１１または図１０に示したステップＤ５では、表示端末３０が、情報端末１０から詳細情報を受信すると、受信した詳細情報を予め定める表示態様で表示部３４に表示する。
【０１２６】
したがって、表示可否確認情報、たとえばダイアログまたはアイコンを表示して、視聴者に詳細情報の表示可否を確認してから画面の表示態様を切り替えて詳細情報を表示するので、視聴者が必要なときだけ詳細情報を表示させることができる。したがって、テレビジョンの視聴の妨げとなることなく、かつタイムリーに新たに生じた情報、つまり新たに生じた事象に係る詳細情報を画面に表示することができる。
【０１２７】
さらに、情報を表示する表示部３４および情報を入力するＴＶ用リモコン４０を含むコンピュータに、予め定める事象の発生を監視し、予め定める事象の発生が検知されたとき、発生を検知した事象に係る詳細情報を取得する図７に示したステップＡ１，Ａ２または図９に示したステップＣ１，Ｃ２と、取得ステップで取得した詳細情報を表示してよいか否かについての可否を視聴者に確認するために表示部３４に表示するための表示可否確認情報を生成し、生成した表示可否確認情報を、テレビジョン放送の映像情報に合成して表示部３４に表示する図７に示したステップＡ３および図８に示したステップＢ２，Ｂ３または図９に示したステップＣ３〜Ｃ５および図１０に示したステップＤ２〜Ｄ４と、表示部３４に表示した表示可否確認情報に応答して、詳細情報の表示を許可することを表す決定情報がＴＶ用リモコン４０によって入力されたとき、前記取得した詳細情報を予め定める表示態様で表示部３４に表示する図７に示したステップＡ４，Ａ５，Ａ７および図８に示したステップＢ４，Ｂ５，Ｂ８〜Ｂ１１または図９に示したステップＣ６および図１０に示したステップＤ５とを実行させるためのプログラムとして提供することができる。
【０１２８】
さらに、前記プログラムを記録したコンピュータ読取り可能な記録媒体として提供することができる。
【符号の説明】
【０１２９】
１  情報表示システム
２  ネットワーク
１０  情報端末
１１  ＣＰＵ
１２  ＳＴＢ用メモリ
１３  通信部
１４  タイマ
１５  映像出力部
１６  ＳＴＢ用制御インタフェース部
１７  ＳＴＢ用リモコン受信部
２０  ＳＴＢ用リモコン
３０  表示端末
３１  ディスプレイコントローラ
３２  ＴＶ用メモリ
３３  チューナ
３４  表示部
３５  映像入力部
３６  ＴＶ用制御インタフェース部
３７  ＴＶ用リモコン受信部
４０  ＴＶ用リモコン
【図１】
2011142524.tif 000003
【図２】
2011142524.tif 000004
【図３】
2011142524.tif 000005
【図４】
2011142524.tif 000006
【図５】
2011142524.tif 000007
【図６】
2011142524.tif 000008
【図７】
2011142524.tif 000009
【図８】
2011142524.tif 000010
【図９】
2011142524.tif 000011
【図１０】
2011142524.tif 000012